(57)【要約】【課題】照明色の変更を容易に行なうことができる電子機器を提供する。【解決手段】照光部を表面に有するボタンと、ボタンを組み付けるパネルと、パネルに組み付けたボタンの裏面側に配置された光源とを備え、光源からの光がボタンの表面側へ透過して照光部を照明する電子機器において、ボタンの裏面の照光部に対応する部分を含む領域に、有色材を印刷してなる有色印刷部を備える。【選択図】図３
2015046313.tif 000002
【特許請求の範囲】
【請求項１】
照光部を表面に有するボタンと、前記ボタンを組み付けるパネルと、前記パネルに組み付けた前記ボタンの裏面側に配置された光源とを備え、前記光源からの光が前記ボタンの表面側へ透過して前記照光部を照明する電子機器において、
前記ボタンの裏面の前記照光部に対応する部分を含む領域に有色材を印刷してなる有色印刷部を備えることを特徴とする電子機器。
【請求項２】
前記有色印刷部は、複数色の印刷部であることを特徴とする請求項１記載の電子機器。
【請求項３】
前記光源から前記ボタンの裏面までの距離に応じて、前記印刷の密度を調整したことを特徴とする請求項１または請求項２記載の電子機器。
【請求項４】
前記印刷は、ドット状印刷であることを特徴とする請求項１から請求項３のうちのいずれか１項記載の電子機器。
【請求項５】
前記印刷は、多層であることを特徴とする請求項１から請求項３のうちのいずれか１項記載の電子機器。
【請求項６】
前記印刷は、格子状印刷であることを特徴とする請求項１から請求項３のうちのいずれか１項記載の電子機器。
【請求項７】
前記印刷は、ストライプ状印刷であることを特徴とする請求項１から請求項３のうちのいずれか１項記載の電子機器。
【発明の詳細な説明】
【技術分野】
【０００１】
この発明は、操作ボタンを有するパネル部を備えた電子機器に関するものである。
【背景技術】
【０００２】
従来から、操作ボタンを有するパネル部を備えた電子機器においては、操作ボタンの表面に記載した文字または図形などの部分（以下、照光部という）を、ＬＥＤ等の光源からの光を透過させて照明している。
そして、照光部の色を変更する場合、一般には、ＬＥＤの発光色を変更するか、ＬＥＤのラバーキャップの色を変更するなどしていた。
しかしながら、照光部の照明色の変更でＬＥＤまたはラバーキャップといった光源側を変更する場合、設計の大規模な変更を伴うため、工期も延び、変更費用も高くなる。
これに対し、特許文献１に記載の装置は、カラー印刷されたカラー導光シートを備え、基板に搭載されたＬＥＤからの光をカラー導光シートに導光してキートップのカラー照明を行っている。この装置では、色の異なるカラー導光シートに変更することで、照光部の色を変更することができる。
【先行技術文献】
【特許文献】
【０００３】
【特許文献１】特開２００６−１４６６２４号公報
【発明の概要】
【発明が解決しようとする課題】
【０００４】
しかしながら、例えば、特許文献１に開示されているような従来技術では、カラー導光シートを新たに追加する必要があり、部品点数が多くなるという課題があった。
また、照明色を変更する場合に要求される色味を再現するためには、カラー導光シート自体を変更する必要があり、基板実装部品の変更を伴う。このため、結局、工期が延び、変更費用も大きくなるという課題があった。
【０００５】
この発明は、上記のような課題を解決するためになされたものであり、照明色の変更を容易に行うことができる電子機器を提供することを目的とする。
【課題を解決するための手段】
【０００６】
この発明に係る電子機器は、照光部を表面に有するボタンと、ボタンを組み付けるパネルと、パネルに組み付けたボタンの裏面側に配置された光源とを備え、光源からの光がボタンの表面側へ透過して照光部を照明する電子機器において、ボタンの裏面の照光部に対応する部分を含む領域に有色材を印刷してなる有色印刷部を備えることを特徴とする。
【発明の効果】
【０００７】
この発明によれば、照明色の変更を容易に行うことができるという効果がある。
【図面の簡単な説明】
【０００８】
【図１】この発明の実施の形態１に係る電子機器の分解斜視図である。
【図２】実施の形態１に係る電子機器のパネル部における操作ボタンの構造の一例を示す概略断面図である。
【図３】照光部が赤色の「ＡＵＤＩＯ」である操作ボタンの裏面を示す図である。
【図４】この発明の実施の形態２に係る電子機器における操作ボタンの照光部の一例を示す正面図である。
【図５】図４の操作ボタンの裏面を示す図である。
【図６】この発明の実施の形態３に係る電子機器における操作ボタンの照光部の一例を示す正面図である。
【図７】実施の形態３に係る電子機器のパネル部における操作ボタンの構造の一例を示す概略断面図である。
【図８】ドット状印刷を施した操作ボタンの裏面を示す図である。
【図９】印刷層の層数を変えた操作ボタンの裏面を示す図である。
【図１０】格子状印刷およびストライプ状印刷を施した操作ボタンの裏面を示す図である。
【発明を実施するための形態】
【０００９】
以下、この発明の実施の形態について、図面を参照しながら詳細に説明する。
実施の形態１．
図１は、この発明の実施の形態１に係る電子機器の分解斜視図である。また、図２は、実施の形態１に係る電子機器のパネル部における操作ボタンの構造の一例を示す概略断面図である。図１に示すように、この電子機器は、例えば、車載用のナビゲーション装置であり、パネル部１と電子機器本体７を備えて構成される。
パネル部１は、電子機器本体７の前面に配置され、ユーザにより操作可能な複数の操作ボタン２がフロント側パネル３に組み付けられ、その裏面側にパネル部１の各操作ボタン２等の照光部を照明する光源であるＬＥＤ４が搭載されたプリント基板５が配置される。
フロント側パネル３がプリント基板５を介してリア側パネル６に組み付けられてパネル部１が構成され、パネル部１は、電子機器本体７に取り付けられる。
また、操作ボタン２には、それぞれの操作ボタンを意味する文字や図形等である照光部が表面に形成されており、照光部は、ＬＥＤ４からの光を透過して照明される。
照光部は、例えば、透光性の部材で形成された操作ボタン２の表面に遮光性の塗装を施した後に、レーザで文字や記号等の形にエッチングすることによって形成される。
【００１０】
また、図２に示すように、実施の形態１に係る電子機器では、凹凸のないフラットな操作ボタン２の裏面に、照光部の照明色と同色のインク（有色材）が施されている。
すなわち、操作ボタン２に表示される文字や図形等の色と同色のインクの印刷（有色印刷部）１０を、操作ボタン２の裏面の照光部に対応する部分を含む領域に施している。
なお、図２では、「ＡＵＤＩＯ」という文字を照光部として形成し、操作ボタン２の裏側に配置されたＬＥＤ４の白色光で照明する。例えば、赤色の印刷１０を施すことにより「ＡＵＤＩＯ」の文字が赤色で照明される。
【００１１】
図３は、照光部が赤色の「ＡＵＤＩＯ」である操作ボタンの裏面を示す図である。図３に示すように、操作ボタン２の裏面には、照光部に対応する部分を含む領域に、具体的には、「ＡＵＤＩＯ」の文字全体を覆うように、文字色と同色（赤色）の印刷を施す。
このように、操作ボタン２の裏面に、照光部の照明色と同色のインクによる印刷１０を施すことで、カラー導光シートなどの部品を用いず、照光部に所望の色で彩色することができる。また、例えば、同じ赤色であっても濃い赤や薄い赤があるなど、同色でもその濃淡には様々なバリエーションが考えられるが、印刷するインクに濃淡をつけることで簡単に色の調整を行うことができる。また、表面に表示される文字の色を変更したい場合には、印刷１０の色を変更すればよいだけなので、従来に比べると、費用も工期もかからず容易である。
【００１２】
なお、ここでは、赤色の文字を照光部とする例で説明したが、照光部は、文字に限らず絵や記号であってもよいし、印刷される色も赤色ではなく他の色であってもよいことは言うまでもない。
【００１３】
以上のように、この実施の形態１における電子機器によれば、照光部の照明色を変えるために部品自体を変更する必要がないので、色変更の費用も工期も少なくて済み、容易に色変更作業を行うことができる。また、インクに濃淡をつけて印刷することにより、色の調整も容易に行うことができる。
【００１４】
実施の形態２．
実施の形態１では、照光部の照明色（表面に表示される文字の色）は１色（赤色）であり、操作ボタン２の裏面にも１色のインクにより印刷を施していた。この実施の形態２では、照光部の照明色を複数色にした場合について説明する。
図４は、この発明の実施の形態２に係る電子機器における操作ボタンの照光部の一例を示す正面図である。実施の形態１同様、「ＡＵＤＩＯ」という文字を照光部として形成しているが、この実施の形態２では、図４に示すように、「ＡＵＤ」は赤色照明、「ＩＯ」は青色照明としている。その他の構成については、実施の形態１で説明したものと同様であるため、同一の符号を付して重複した説明を省略する。
【００１５】
図５は、図４の操作ボタンの裏面を示す図であり、「ＡＵＤＩＯ」の文字を表示する操作ボタン２の裏面を示している。図５に示すように、操作ボタン２の裏面には、表示する複数の文字色に応じて、それぞれ同一色の印刷を施している。具体的には、「ＡＵＤ」の文字に対応する領域の有色印刷部には、「ＡＵＤ」の文字色と同じ赤色の印刷１１を施し、「ＩＯ」の文字に対応する領域の有色印刷部には、「ＩＯ」の文字色と同じ青色の印刷１２を施す。
【００１６】
このように、実施の形態２では、異なる２色の文字、つまり、複数色の照光部とする場合でも、操作ボタン２の裏面に、複数色ごとに、それぞれの色に応じた印刷を施すだけで、簡単に表面に表示される文字にあわせた照明色とすることができる。また、表面に表示される文字の色を変更したい場合には、印刷１１，１２の色を変更すればよいだけなので、従来に比べると、費用も工期もかからず容易である。
なお、例えば、従来のように、赤色のＬＥＤと青色のＬＥＤで照光部を照明する場合、２つのＬＥＤからの光が交差して文字の間で２色が混ざってしまう可能性がある（図２の（Ｃ）の部分）。これに対して、この実施の形態２に係る電子機器では、操作ボタン２の裏面に印刷１１，１２を施し、ＬＥＤ４は同一色（白色）であるため、色が混ざることがない。
【００１７】
また、ここでは照光部の照明色は２色（赤，青）としたが、これに限らず、３色以上であってもよく、文字毎に異なる色であってもよい。また、ここでは表面には文字が表示されるケースを例に説明したが、これに限らず、表面に表示されるのは絵や記号であってもよいことは言うまでもない。
【００１８】
以上のように、この実施の形態２における電子機器によれば、照光部の色が複数色の場合であっても色印刷により容易に形成することができる。また、色変更の際には、印刷する色を変更すればよいため、費用も工期も少なくて済み、容易に色変更作業を行うことができる。
【００１９】
実施の形態３．
実施の形態１では、操作ボタン２の裏面に、照光部の照明色と同色のインクによる印刷１０を施すことで、色の変更を容易に行うことが可能となる構成について説明した。
しかしながら、例えば、操作ボタン２に複数の文字が表示されている場合など、ＬＥＤ４の真上に位置する文字はかなり明るくなり、ＬＥＤ４から遠くに位置する文字は暗くなる、というように、１つの操作ボタンの照光部で輝度ムラが生じてしまい、電子機器のパネル部の外観品位が下がるという問題がある。
【００２０】
図６は、この発明の実施の形態３に係る電子機器における操作ボタンの照光部の一例を示す正面図である。これは、実施の形態１で図２を用いて示したＬＥＤ４を点灯させた状態を示している。
図２および図６を見るとわかるように、ＬＥＤ４から操作ボタン２の裏面までの距離に応じて、ＬＥＤ４の直上に位置する文字「Ｕ」付近（（Ａ）部分）や文字「Ｉ」付近（（Ｂ）部分）はかなり明るく照明され、「ＡＵＤＩＯ」という操作ボタン２全体で輝度ムラが生じてしまう。
そこで、この実施の形態３では、ＬＥＤ４から操作ボタン２の裏面までの距離に応じて印刷の密度を変更することで輝度を調整し、全体として操作ボタン照明点灯時の輝度ムラをなくす実施の形態について説明する。
【００２１】
図７は、実施の形態３に係る電子機器のパネル部における操作ボタンの構造の一例を示す概略断面図であり、操作ボタン２の裏面に、照光部の照明色と同色のインクでドット状印刷を施したものである。また、図８は、図７に示すようにドット状印刷を施した操作ボタン２の裏面を示す図である。なお、実施の形態１で説明したものと同様の構成には、同一の符号を付して重複した説明を省略する。
また、図７においては、わかりやすいようにドット印刷部分のみを図示しているが、実施の形態１同様、印刷は、操作ボタン２の裏面から文字全体を覆うように施されているものとする。つまり、図７に示すドット印刷部分以外は、実施の形態１において図３で示したものと同様の印刷が施されているものとする。
【００２２】
以下に示す実施の形態３の電子機器においては、図７および図８に示すように、操作ボタン２の裏面に施す印刷を、操作ボタン２の裏面とＬＥＤ４との距離がもっとも近い箇所（（Ａ）部分）ではドット密度の細かい印刷１３にし、操作ボタン２の裏面とＬＥＤ４との距離が次に近い箇所（（Ｂ）部分）ではドット密度の粗い印刷１４にすることにより、操作ボタン２の照光部を透過する光の透過率を調整している。
【００２３】
このように、ドット状印刷の密度を変えて印刷することにより、操作ボタン２の裏面とＬＥＤ４との距離がもっとも近い（Ａ）部分ではドット密度の細かい印刷にして光の透過率を低くし、輝度を下げることができる。すなわち、ＬＥＤ４から操作ボタン２の裏面までの距離に応じて、操作ボタン２の裏面に施すドット状印刷の密度を変えることにより、光の透過率を調整して輝度を調整することができる。この結果、操作ボタン照明点灯時の輝度ムラをなくすことができる。
また、例えば（Ａ）部分の中心は特に密度を高くし、（Ａ）部分の外周部は密度を低くするなど、同じ印刷箇所の中でも、ＬＥＤ４からの距離に応じて印刷の密度を変えて調整するようにすれば、より細かく輝度の調整をすることができ、完全に輝度ムラをなくすことができる。
【００２４】
また、図９に示すように、操作ボタン２の裏面に施す印刷１０を、操作ボタン２の裏面とＬＥＤ４との距離がもっとも近い箇所（（Ａ）部分）では２層にして印刷の密度を高くし、操作ボタン２の裏面とＬＥＤ４との距離が次に近い箇所（（Ｂ）部分）では１層にすることにより（Ａ）部分よりは印刷の密度を低く印刷して、光の透過率を調整するようにしてもよい。このように、操作ボタン２の裏面とＬＥＤ４との距離がもっとも近い箇所（（Ａ）部分）では多層印刷（２層以上の印刷）を施し、この距離が次に近い箇所（（Ｂ）部分）では１層印刷にすることにより、すなわち、ＬＥＤ４から操作ボタン２の裏面までの距離に応じて、操作ボタン２の裏面に何層の印刷１０を施すかにより印刷の密度を変えて、照光部を透過する光の透過率を調整して輝度を調整することができ、全体として操作ボタン照明点灯時の輝度ムラをなくすことができる。
【００２５】
また、図１０に示すように、操作ボタン２の裏面に施す印刷を、図７，図８に示すドット状印刷に代えて、格子状印刷やストライプ状印刷にしてもよい。図１０は、操作ボタン２の裏面とＬＥＤ４との距離がもっとも近い箇所（（Ａ）部分）には格子状印刷１５を施し、操作ボタン２の裏面とＬＥＤ４との距離が次に近い箇所（（Ｂ）部分）ではストライプ状印刷１６を施した状態の操作ボタン２を、裏側から見た図である。このように、格子状印刷１５やストライプ状印刷１６にすることにより、操作ボタン２の照光部を透過する光の透過率を調整している。
【００２６】
このように、操作ボタン２の裏面とＬＥＤ４との距離がもっとも近い（Ａ）部分では格子状印刷１５にして印刷の密度を高くし、この距離が次に近い（Ｂ）部分ではストライプ状印刷１６にすることにより（Ａ）部分よりは印刷の密度を低く印刷して、光の透過率を調整することができる。このように、操作ボタン２の裏面とＬＥＤ４との距離がもっとも近い箇所（（Ａ）部分）では格子状印刷１５を施し、この距離が次に近い箇所（（Ｂ）部分）ではストライプ状印刷１６を施すことにより、すなわち、ＬＥＤ４から操作ボタン２の裏面までの距離に応じて、操作ボタン２の裏面に施す印刷のパターンを変えることにより、光の透過率を調整して輝度を調整することができ、全体として操作ボタン照明点灯時の輝度ムラをなくすことができる。
【００２７】
また、例えば（Ａ）部分も（Ｂ）部分も格子状印刷１５を施すこととし、その格子間隔を調整することにより、（Ａ）部分は印刷の密度を高くし、（Ｂ）部分は（Ａ）部分よりは印刷の密度を低く印刷して、光の透過率を調整してもよい。
なお、（Ａ）部分も（Ｂ）部分もストライプ状印刷１６を施して、同様にストライプの間隔を調整することにより、操作ボタン２の照光部を透過する光の透過率を調整するようにしてもよい。
【００２８】
さらに、例えば（Ａ）部分の中心は特に細かい格子状印刷１５にして印刷の密度を高くし、（Ａ）部分の外周部は格子の間隔を中心部より広くして密度を低くするか、外周部のみ格子状ではなくストライプ状印刷１６にするなど、同じ印刷箇所の中でも、ＬＥＤ４から操作ボタン２の裏面までの距離に応じて印刷の密度を変えて調整するようにすれば、より細かく輝度の調整をすることができ、完全に輝度ムラをなくすことができる。
【００２９】
以上は、実施の形態１のように、照光部の照明色が１色であることを前提に説明した。しかしながら、実施の形態２のように、照光部の照明色が異なる２色であるような場合、それぞれの色において、光の透過率に差が生じることがある。例えば、操作ボタン２の裏面とＬＥＤ４との距離がもっとも近い箇所（（Ａ）部分）に配置される色が光の透過率が高い色（明色）であり、操作ボタン２の裏面とＬＥＤ４との距離が次に近い箇所（（Ｂ）部分）に配置される色が光の透過率が低い色（暗色）である場合、照明色の間で輝度ムラが生じてしまうことがある。具体的には、（Ａ）部分が（Ｂ）部分よりさらに明るく表示される。
【００３０】
このような場合には、例えば、図７、図８の操作ボタン２の裏面に施す印刷を、操作ボタン２の裏面とＬＥＤ４との距離がもっとも近い箇所（（Ａ）部分）では、印刷の密度を高くするか、もしくは、印刷の積層数を増やす。例えば、ドット密度の細かい印刷１３にする。または、図９の操作ボタン２の裏面に施す印刷１０を、操作ボタン２の裏面とＬＥＤ４との距離がもっとも近い箇所（（Ａ）部分）では３層以上にして印刷の密度を高くする。また、図１０の操作ボタン２の裏面に施す印刷を、操作ボタン２の裏面とＬＥＤ４との距離がもっとも近い箇所（（Ａ）部分）ではさらに格子の間隔を狭い格子状印刷としたり、ストライプの間隔を狭くしたストライプ状印刷にしたりする。これによって、輝度ムラをなくすことができる。
【００３１】
上記説明では、照光部の照明色が２色である場合を例にとったが、これに限らず、照光部の照明色が３色以上であっても同様に、それぞれの色の光の透過率と、ＬＥＤ４から操作ボタン２の裏面までの距離とに応じて、操作ボタン２の裏面に施す印刷の密度を調整することによって輝度ムラをなくすことができる。
このように、光源（ＬＥＤ４）から有色材（インク）を印刷した操作ボタン２の裏面までの距離と、有色材の光の透過率とに応じて、有色印刷部の印刷密度を調整することで、全体として操作ボタン照明点灯時の輝度ムラをなくすことができる。
【００３２】
以上のように、この実施の形態３における電子機器によれば、操作ボタン照明点灯時の輝度ムラをなくすことができ、外観品位の高い電子機器を容易に実現することができる。また、輝度の微調整を行うためには、印刷パターンや印刷密度を変更するだけでよいので、輝度の微調整が容易である。
【００３３】
この発明の電子機器は、車載のオーディオ、ナビ等の車載用情報機器や、パーソナルコンピュータや家庭用のリモコン等の情報機器など、操作ボタンを有するパネル部を備える電子機器であれば、どのような形態のものにも適用することができる。
【００３４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３５】
１  パネル部、２  操作ボタン、３  フロント側パネル、４  ＬＥＤ（光源）、５  プリント基板、６  リア側パネル、７  電子機器本体、１０  印刷、１１  赤色印刷、１２  青色印刷、１３  ドット密度の細かいドット状印刷、１４  ドット密度の粗いドット状印刷、１５  格子状印刷、１６  ストライプ状印刷。
【図１】
2015046313.tif 000003
【図２】
2015046313.tif 000004
【図３】
2015046313.tif 000005
【図４】
2015046313.tif 000006
【図５】
2015046313.tif 000007
【図６】
2015046313.tif 000008
【図７】
2015046313.tif 000009
【図８】
2015046313.tif 000010
【図９】
2015046313.tif 000011
【図１０】
2015046313.tif 000012